(57)【要約】      （修正有）【課題】所定の曲率半径に合わせて繰り返し曲げることに適した光ファイバ曲げ具及び光ファイバの接続確認方法を提供する。【解決手段】光ファイバＣを保持する一対の保持部３，３と、一端部を接離可能に一点で保持する一対のアーム４、４であって、それぞれに保持部３，３が連結される一対のアーム４、４と、一対のアーム４、４を接離させて曲げる光ファイバＣの曲率半径が所定の曲率半径になる状態の一対のアーム４、４を位置決めする位置決め部６とを備える。【選択図】図１
2014170121.tif 000002
【特許請求の範囲】
【請求項１】
光ファイバを所定の曲率半径に曲げる光ファイバ曲げ具であって、光ファイバを保持する一対の保持部と、一端部を接離可能に一点で保持する一対のアームであって、それぞれに保持部が連結される一対のアームと、該一対のアームを接離させて曲げる光ファイバの曲率半径が所定の曲率半径になる状態で一対のアームを位置決めする位置決め部とを備えることを特徴とする光ファイバ曲げ具。
【請求項２】
光ファイバを所定の曲率半径に曲げる光ファイバ曲げ具であって、光ファイバを沿わせる長尺状の可とう部材と、一端部を接離可能に一点で保持する一対のアームであって、それぞれの一端部が可とう部材におけるその長尺方向に離間した２か所に連結される一対のアームと、一対のアームを接離させて曲げる可とう部材の曲率半径が所定の曲率半径になる状態で一対のアームを位置決めする位置決め部とを備えることを特徴とする光ファイバ曲げ具。
【請求項３】
位置決め部は、位置決めする一対のアームの間隔を異なる間隔に切り換え可能である請求項１又は請求項２に記載の光ファイバ曲げ具。
【請求項４】
請求項１乃至請求項３のいずれか１項に記載の光ファイバ曲げ具で光ファイバを所定の曲率半径に曲げ、光ファイバの一方の端部から入力された光信号が他方の端部から出力される光信号の変動から、光ファイバ同士の接続に誤りがあるか否かを確認することを特徴とする光ファイバの接続確認方法。
【発明の詳細な説明】
【技術分野】
【０００１】
本発明は、光ファイバを曲げる光ファイバ曲げ具及び光ファイバの接続確認方法に関する。
【背景技術】
【０００２】
光ファイバ配線工事において、繋ぎ合わせる光ファイバの組み合わせに誤りがないかを、光ファイバを曲げて、この光ファイバの出力端側に出力される光信号の減衰の有無により確認している。具体的には、繋ぎ合わせた光ファイバの入力端側から光信号が入力され、その光ファイバの入力端と出力端との間において光ファイバが所定の曲率半径で曲げられ、出力端側に出力される光信号が減衰しているか否かを確認する。出力端側に出力される光信号に減衰が認められるとき、繋ぎ合わせた光ファイバの組み合わせが正しいことが確認でき、出力端側に出力される光信号に減衰が認められないとき、繋ぎ合わせた光ファイバの組み合わせに誤りがあることが確認できる（特許文献１参照）。
【０００３】
しかし、光ファイバは、所定の曲率半径以上に曲げてしまうと、破断してしまう。特に、電力保安用通信回線として用いられている光ファイバにおいて誤って破断させてしまうと、電力系統の運用に支障がでる。そのため、このような通信回線における光ファイバの接続確認においては、曲げる曲率半径を３段階に分けてゆっくり繰り返し実施される。具体的には、最初に曲率半径を小さく曲げて確認し（曲率半径：小）、次に、曲率半径を中程まで曲げて確認し（曲率半径：中）、最後に、曲率半径を最後まで大きく曲げて確認するものであり、その作業は煩雑なものであった。
【先行技術文献】
【特許文献】
【０００４】
【特許文献１】特表平  ９−５０２２６４号公報
【発明の概要】
【発明が解決しようとする課題】
【０００５】
よって、本発明は、かかる事情に鑑み、所定の曲率半径に合わせて繰り返し曲げることに適した光ファイバ曲げ具及び光ファイバの接続確認方法を提供することを課題とする。
【課題を解決するための手段】
【０００６】
本発明に係る光ファイバ曲げ具は、光ファイバを保持する一対の保持部と、一端部を接離可能に一点で保持する一対のアームであって、それぞれに保持部が連結される一対のアームと、該一対のアームを接離させて曲げる光ファイバの曲率半径が所定の曲率半径になる状態で一対のアームを位置決めする位置決め部とを備えることを特徴とする。
【０００７】
かかる構成によれば、光ファイバを曲げるときは、光ファイバを一対の保持部に保持させて、位置決め部が一対のアームを位置決めするまで、一対のアームを接離させて光ファイバを曲げる。そして、一対のアームが位置決めされると、光ファイバは所定の曲率半径に曲がった状態になる。一方、一対のアームを元に戻すと、曲がっていた光ファイバも元に戻る。このように、光ファイバを所定の曲率半径に繰り返し曲げることを容易に行うことができる。
【０００８】
本発明に係る光ファイバ曲げ具は、光ファイバを所定の曲率半径に曲げる光ファイバ曲げ具であって、光ファイバを沿わせる長尺状の可とう部材と、一端部を接離可能に一点で保持する一対のアームであって、それぞれの一端部が可とう部材におけるその長尺方向に離間した２か所に連結される一対のアームと、一対のアームを接離させて曲げる可とう部材の曲率半径が所定の曲率半径になる状態で一対のアームを位置決めする位置決め部とを備えることを特徴とする。
【０００９】
かかる構成によれば、光ファイバを曲げるときは、光ファイバを可とう部材に沿わせて、位置決め部が一対のアームを位置決めするまで、一対のアームを接離させて可とう部材を曲げる。そして、一対のアームが位置決めされると、可とう部材は所定の曲率半径に曲がった状態になり、光ファイバも同様に所定の曲率半径に曲がった状態になる。一方、一対のアームを元に戻すと、曲がっていた可とう部材も元に戻り、光ファイバも元に戻る。このように、光ファイバを所定の曲率半径に繰り返し曲げることを容易に行うことができる。
【００１０】
本発明に係る光ファイバ曲げ具の一実施形態において、位置決め部は、位置決めする一対のアームの間隔を異なる間隔に切り換え可能であることが好ましい。
【００１１】
かかる構成によれば、光ファイバを曲げる曲率半径をその光ファイバの条件に応じて変えることができる。
【００１２】
本発明に係る光ファイバの接続確認方法は、上記光ファイバ曲げ具で光ファイバを所定の曲率半径に曲げ、光ファイバの一方の端部から入力された光信号が他方の端部から出力される光信号の変動から、光ファイバ同士の接続に誤りがあるか否かを確認することを特徴とする。
【００１３】
かかる構成によれば、光ファイバを所定の曲率半径に繰り返し曲げることを容易に行うことができる。そして、光ファイバの他方の端部から出力される光信号の変動から、光ファイバ同士の接続に誤りがあるか否かを確認することができる。
【発明の効果】
【００１４】
以上の如く、本発明に係る光ファイバ曲げ具及び光ファイバの接続確認方法によれば、所定の曲率半径に繰り返し曲げることが容易にできる優れた効果を奏する。
【図面の簡単な説明】
【００１５】
【図１】図１は、本発明の実施形態に係る光ファイバ曲げ具の外観図である。
【図２】図２は、図１におけるＡ−Ａ線拡大断面図である。
【図３】図３は、図１におけるＢ部拡大図である。
【図４】図４は、図１におけるＢ部拡大断面図である。
【図５】図５は、図１におけるＢ部拡大断面図であって、保持部を引き上げた状態の拡大断面図である。
【図６】図６は、図１におけるＢ部拡大断面図であって、保持部の固定部（ねじ部）を締め付けた状態の拡大断面図である。
【図７】図７は、図１におけるＣ部拡大図である。
【図８】図８は、図７におけるＤ−Ｄ線拡大断面図であって、係合構造が係合状態にある拡大断面図である。
【図９】図８は、図７におけるＤ−Ｄ線拡大断面図であって、係合構造が係合解除状態にある拡大断面図である。
【図１０】図１０は、同実施形態に係る光ファイバ曲げ具の外観図であって、光ファイバを曲げた状態にある外観図である。
【図１１】図１１は、他の実施形態に係る光ファイバ曲げ具の外観図である。
【図１２】図１２は、図１１におけるＥ−Ｅ線拡大断面図である。
【発明を実施するための形態】
【００１６】
本発明の実施形態に係る光ファイバ曲げ具について、図１〜図１０を参照しつつ説明する。まず、同実施形態に係る光ファイバ曲げ具１の構成について、説明する。光ファイバ曲げ具１は、光ファイバＣを所定の曲率半径に曲げるために用いられる。
【００１７】
光ファイバ曲げ具１は、光ファイバＣを位置規制する長尺状の可とう部材２と、光ファイバＣを二点で保持する一対の保持部３，３と、一端部を接離可能に一点で保持する一対のアーム４，４であって、それぞれに保持部３が連結される一対のアーム４，４と、該一対のアーム４，４を連結する一点を支点に互いに接離する方向に作用させる操作部５と、一対のアーム４，４を接離させて曲げる光ファイバＣの曲率半径が所定の曲率半径になる状態で一対のアーム４，４を位置決めする位置決め部６とを備える。
【００１８】
可とう部材２は、直線状の溝形に形成されており、一方の端部から他方の端部まで断面視凹形状に形成されている。可とう部材２は、可とう性を有し、本実施形態における可とう部材２は、ゴムを成形したものであり、弾性変形可能な弾性部材でもある。
【００１９】
保持部３は、図２〜図６に示すように、可とう部材２の下側内側面に光ファイバＣを押し当てて光ファイバＣを保持する。つまり、保持部３は、可とう部材２の内側面とで光ファイバＣを把持する構造を有する。具体的には、保持部３は、可とう部材２の上面を上下方向に貫通する貫通孔２１に固定される固定部３１と、該固定部３１の下端側からその下方に伸縮する伸縮部材３２と、光ファイバＣに当接される当接部材３３とを備える。
【００２０】
固定部３１は、貫通孔２１に螺合されるねじ部３４と、該ねじ部３４を貫通孔２１に締め付けるためにねじ部３４を周方向に回転させる摘み３５とを備える。伸縮部材３２は、スプリングであり、該スプリングは、貫通孔２１の内径よりも一回り小さい径を有する。スプリングの一端は、固定部３１に固定される。なお、伸縮部材３２は、ねじ部３４の軸芯方向に対して伸縮する構成のものであれば、どのようなものでもよく、例えば、柱状のスポンジやゴムであってもよい。当接部材３３は、光ファイバＣの側面に当接され、光ファイバＣに過度の圧力が加わらないように弾性を有するものが好ましい。なお、保持部３は、光ファイバＣを保持できれば良く、固定部３１や伸縮部材３２、当接部材３３のいずれか１つにより構成されていてもよい。
【００２１】
一対のアーム４，４は、図１に示すように、長尺状の一対のアーム本体４１，４１と、該一対のアーム本体４１，４１の基端側を軸支する第１の軸部４２と、一対のアーム本体４１，４１のそれぞれの先端部を軸支する一対の第２の軸部４３，４３とを備える。一対のアーム４，４は、可とう部材２に一対の第２の軸部４３，４３で軸支され、可とう部材２が直線状にあるときにおいて、可とう部材２を底辺とする逆二等辺三角形状に構成される。そして、可とう部材２が直線状にあるときから一対のアーム４，４が互いに接近する方向に作用すると、可とう部材２が外側（図１における上方向）に所定の曲率半径でたわむ。
【００２２】
一対のアーム本体４１，４１は、それぞれ同じ長さを有する。第１の軸部４２は、一対のアーム本体４１，４１を回転自在に軸支する。第２の軸部４３，４３は、可とう部材２の下面側に固定され、一対のアーム本体４１，４１の先端を回動自在に軸支する。第１の軸部４２の軸芯と一対の第２の軸部４３，４３の軸芯とは、平行又は略平行の関係にある。
【００２３】
操作部５は、図１に示すように、一対のアーム本体４１，４１のそれぞれの基端側を更に延長させた一対の把持部５１を有し、該一対の把持部５１，５１には、指を掛けるための指掛け孔５２が設けられる。一対の把持部５１，５１の基端側は、一対のアーム本体４１，４１のそれぞれの基端側に固定され、一対の把持部５１，５１は、一対のアーム本体４１，４１のそれぞれの長手方向に対して、互いに接近する方向に傾いた方向に延長して直線状に形成されている。操作する者が指掛け孔５２に指を通して一対の把持部５１，５１を互いに接近させることにより、一対のアーム４，４が接近し、一対のアーム４，４の間隔が短くなり、可とう部材２の曲率半径が小さくなる。一方、一対の把持部５１，５１を握る力を弱めて、互いに離間させることにより、一対のアーム４，４が離間し、一対のアーム４，４の間隔が長くなり、可とう部材２の曲率半径が大きくなり、やがて可とう部材２が直線状に戻る。なお、可とう部材２が一対のアーム４，４の先端に連結されていることにより、一対の把持部５１，５１は、可とう部材２の弾性復元力により、常に離間する方向に作用する。
【００２４】
位置決め部６は、図７に示すように、一対の把持部５１，５１のそれぞれの間に設けられている。位置決め部６は、図７〜図９に示すように、一方の把持部５１から他方の把持部５１に向かって突き出る第１の突き出し部材６１と、他方の把持部５１から一方の把持部５１に向かって突き出る第２の突き出し部材６２と、第１の突き出し部材６１及び第２の突き出し部材６２の基端側を把持部５１に回動自在に軸支する軸部６３と、第１の突き出し部材６１及び第２の突き出し部材６２の先端側を互いに係合する係合構造６４と、第１の突き出し部材６１が他方の把持部５１に接近するのを阻止する阻止部６５とを備える。
【００２５】
第１の突き出し部材６１と第２の突き出し部材６２とは、一対の把持部５１，５１の間で直線状になすように配置され、一対の把持部５１，５１を所定の間隔に離間する離間部材６６を構成する。
【００２６】
軸部６３は、把持部５１における長手方向の中途部に設けられている。軸部６３は、一対のアーム４１，４１の第１の軸部４２の軸芯と第２の軸部４３，４３の軸芯と平行又は略平行な方向に回転中心を有する。そのため、軸部６３は、第１の突き出し部材６１と第２の突き出し部材６２とが直線状をなすように、把持部５１に対して第１の突き出し部材６１と第２の突き出し部材６２とが回動することを許容する。
【００２７】
係合構造６４は、図７〜図９に示すように、第１の突き出し部材６１の先端側に設けられる係合爪６７と、第２の突き出し部材６２の長手方向に所定の間隔をあけて複数設けられる被係合突起６８とを有する。係合爪６７が複数ある被係合突起６８のいずれかに係合される。
【００２８】
係合爪６７が係合される被係合突起６８によって、第１の突き出し部材６１及び第２の突き出し部材６２とで一対の把持部５１，５１を離間する間隔が決まる。つまり、第２の突き出し部材６２の一番先端側の被係合突起６８に係合爪６７が係合されると、一対の把持部５１，５１を離間する間隔が最も長い間隔に設定され、第２の突き出し部材６２の一番基端側の被係合突起６８に係合爪６７が係合されると、一対の把持部５１，５１を離間する間隔が最も短い間隔に設定される。
【００２９】
本実施形態に係る被係合突起６８は３つある。先端側の被係合突起６８は、光ファイバＣを曲げる曲率半径が大きい「大」に該当し、中間の被係合突起６８は、光ファイバＣを曲げる曲率半径が中間の「中」に該当し、基端側の被係合突起６８は、光ファイバＣを曲げる曲率半径が小さい「小」に該当する。
【００３０】
なお、第１の突き出し部材６１は、薄板状に形成されており、第２の突き出し部材６２に対して離間する方向にたわませることができるようになっており、たわませることにより係合爪６７を被係合突起６８との係合を解除する。
【００３１】
阻止部６５は、第２の突き出し部材６２の基端側に設けられ、第１の突き出し部材６１がこの阻止部６５を超えると、可とう部材２の曲率半径が、光ファイバＣが破断する曲率半径以上になるような位置に設けられている。
【００３２】
次に、上記構成に基づいて、本発明の光ファイバ曲げ具１に係る作用を説明する。まず、光ファイバ曲げ具１に光ファイバＣを取り付ける。具体的には、図４に示すように、固定部３１が可とう部材２の貫通孔２１に螺合されているため、固定部３１を緩めて、図５に示すように、固定部３１を貫通孔２１から引き上げる。そして、光ファイバＣを可とう部材２に挿入して、図６に示すように、固定部３１を締め付けて、当接部材３３と可とう部材２の内側側面とで光ファイバＣを把持する。固定部３１の貫通孔２１への締め付け位置と、伸縮部材３２自身の伸縮とにより、光ファイバＣと当接部材３３との間に隙間が形成されることなく、光ファイバＣを保持する。光ファイバＣは、可とう部材２の両端側に設けられる一対の保持部３，３の両方に保持される。
【００３３】
これで光ファイバＣの光ファイバ曲げ具１への取り付けが完了し、次に、光ファイバＣを所定の曲率半径に曲げる。最初に、操作部５を操作して、光ファイバＣを曲げる。操作していた操作部５を元に戻すと、光ファイバＣが元の直線状に戻る。
【００３４】
具体的に説明すると、操作部５の指掛け孔５２に指をかけて握ることにより一対の把持部５１，５１を互いに接近させる。すると、図１０に示すように、一対のアーム４，４が第１の軸部４２を支点に互いに接近し、光ファイバＣを保持する一対の保持部３，３が互いに接近し、第２の軸部４３が外側に逸れる方向に回転して、光ファイバＣが曲がる方向を規制しつつ可とう部材２が外側にたわみ、よって、光ファイバＣが外側に曲がる。
【００３５】
一方、位置決め部６では、第１の突き出し部材６１と第２の突き出し部材６２とが互いに接近し、係合爪６７が先端側の被係合突起６８に達して、被係合突起６８に係合されると、その係合の際に、係合爪６７が被係合突起６８に接触する振動が操作部５を操作する作業者に第１の突き出し部材６１，第２の突き出し部材６２を介して、伝達され、基端側の被係合突起６８に対応した曲率半径に光ファイバＣがなったことを知らせるとともに、その位置で一対のアーム４，４を位置決めする。
【００３６】
作業者は、この係合爪６７が被係合突起６８に接触する際の振動（もしくは、接触の際に発生する音）により、光ファイバＣの曲率半径を知ることができる。また、同時に、作業者は、その位置で一対のアーム４，４を固定することもできる。なお、中間の被係合突起６８又は基端側の被係合突起６８に対応した曲率半径に光ファイバＣを曲げる際は、操作部５を更に強く握れば、先端側の被係合突起６８と係合爪６７との係合が外れるため、引き続き、光ファイバＣを曲げることができ、所望の曲率半径に対応した被係合突起６８に係合爪６７が係合されるまで、一対のアーム４，４の位置決めを繰り返す。
【００３７】
そして、所望の曲率半径に対応した被係合突起６８に係合爪６７が係合することにより、光ファイバＣが所望の曲率半径に曲がった状態を維持することができる。なお、光ファイバＣを元の直線形状に戻すときは、図９に示すように、第１の突き出し部材６１を第２の突き出し部材６２から離間する方向にたわませて、被係合突起６８と係合爪６７との係合を解除して、把持部５１同士を離間して、もしくは、握る把持部５１に加える力を緩めて、可とう部材２の弾性復元力により圧されて、一対のアーム４，４が互いに離間し、可とう部材２が直線状に戻り、よって、光ファイバＣも元の直線状に戻る。この光ファイバＣの曲げ操作は、片手で把持部５１を握るだけで行うことができ、かつ、光ファイバＣを曲げる曲率半径に簡単に合わせることができる。そのため、高所で作業する場合であっても容易に光ファイバＣを曲げることができる。
【００３８】
このようにして、光ファイバ曲げ具１で光ファイバＣを所定の曲率半径に曲げ、光ファイバＣの一方の端部から入力された光信号が他方の端部から出力される光信号の変動の有無から、光ファイバＣ同士の接続に誤りがあるか否かを確認する。そして、曲げる光ファイバＣの曲率半径を「大」、「中」、「小」に切り換えて、順次、この確認を繰り返す。なお、出力される光信号の変動には、光信号の減衰の有無の他、光ファイバＣの曲率半径に応じた光信号の減衰の程度（減衰の変化量や減衰の変化率）も含まれる。
【００３９】
本実施形態によれば、光ファイバＣを所定の曲率半径に曲げる光ファイバ曲げ具１であって、光ファイバＣを保持する一対の保持部３，３と、一端部を接離可能に一点で保持する一対のアーム４，４であって、それぞれに保持部３が連結される一対のアーム４，４と、該一対のアーム４，４を接離させて曲げる光ファイバＣの曲率半径が所定の曲率半径になる状態で一対のアーム４，４を位置決めする位置決め部６とを備える。
【００４０】
この場合、光ファイバＣを曲げるときは、光ファイバＣを一対の保持部３に保持させて、位置決め部６が一対のアーム４，４を位置決めするまで、一対のアーム４，４を接離させて光ファイバＣを曲げる。そして、一対のアーム４，４が位置決めされると、光ファイバＣは所定の曲率半径に曲がった状態になる。一方、一対のアーム４，４を元に戻すと、曲がっていた光ファイバＣも元に戻る。このように、光ファイバＣを所定の曲率半径に繰り返し曲げることを容易に行うことができる。
【００４１】
本実施形態によれば、位置決め部６は、位置決めする一対のアーム４，４の間隔を異なる間隔に切り換え可能である。
【００４２】
この場合、光ファイバＣを曲げる曲率半径をその光ファイバＣの条件に応じて変えることができる。
【００４３】
本実施形態によれば、上記光ファイバ曲げ具１で光ファイバＣを所定の曲率半径に曲げ、光ファイバＣの一方の端部から入力された光信号が他方の端部から出力される光信号の変動から、光ファイバＣ同士の接続に誤りがあるか否かを確認する。
【００４４】
この場合、光ファイバＣを所定の曲率半径に繰り返し曲げることを容易に行うことができる。そして、光ファイバＣの他方の端部から出力される光信号の変動から、光ファイバＣ同士の接続に誤りがあるか否かを確認することができる。
【００４５】
なお、本発明は、上記実施形態に限定されず、本発明の要旨を逸脱しない範囲で様々な変更が可能である。
【００４６】
本実施形態に係る光ファイバ曲げ具１は、図１１に示すように、光ファイバＣを所定の曲率半径に曲げる光ファイバ曲げ具１００であって、光ファイバＣを沿わせる長尺状の可とう部材１０２と、一端部を接離可能に一点で保持する一対のアーム４，４であって、それぞれが可とう部材１０２におけるその長尺方向に離間した２か所に連結される一対のアーム４，４と、該一対のアーム４，４を接離させて曲げる可とう部材１０２の曲率半径が所定の曲率半径になる状態で一対のアーム４，４を位置決めする位置決め部６とを備えるようにしてもよい。
【００４７】
なお、上記実施形態に係る光ファイバ曲げ具１と異なる構成は、可とう部材１０２であり、この光ファイバ曲げ具１００には、保持部３が備えられていない。また、図１２に示すように、可とう部材１０２は、下方に開口を有するように設けられる。そのため、光ファイバＣは、可とう部材１０２に対して下方から、長手方向に平行に挿入される。
【００４８】
この場合、光ファイバＣを曲げるときは、光ファイバＣを可とう部材１０２に沿わせて、位置決め部６が一対のアーム４，４を位置決めするまで、操作部５で一対のアーム４，４を接離させて可とう部材１０２を曲げる。そして、一対のアーム４，４が位置決めされると、可とう部材１０２は所定の曲率半径に曲がった状態になり、光ファイバＣも同様に所定の曲率半径に曲がった状態になる。一方、操作部５で一対のアーム４，４を元に戻すと、曲がっていた可とう部材１０２も元に戻り、光ファイバＣも元に戻る。このように、操作部５を操作することにより、光ファイバＣを所定の曲率半径に繰り返し曲げることを容易に行うことができる。
【００４９】
本実施形態に係る光ファイバ曲げ具１において、可とう部材２が溝形状を有している例を説明したが、これに限定されるものではない。例えば、可とう部材２は、断面視Ｕ字形状であったり、断面視Ｃ字形状であってもよい。
【００５０】
本実施形態に係る光ファイバ曲げ具１において、位置決め部６は、１．３１μｍなどの特定の波長の光信号に適した曲率半径に合わせた例を説明したものであるが、これに限定されるものではない。例えば、位置決め部は、例えば、１．３１μｍの波長と、１．５１μｍの波長の２つの波長の光信号に適した曲率半径に合わせるべく、被係合突起が第２の突き出し部材に６箇所設けられていてもよいし、また、それ以上の被係合突起が第２の突き出し部材に設けられていてもよい。
【００５１】
本実施形態に係る光ファイバ曲げ具１において、位置決め部６は、第１の突き出し部材６１に係合爪６７が設けられ、第２の突き出し部材６２に３つの被係合突起６８が設けられる例を説明したが、これに限定されるものではない。例えば、位置決め部は、第１の突き出し部材に複数の被係合突起が設けられ、第２の突き出し部材に係合爪が設けられてもよい。また、位置決め部は、第１の突き出し部材に複数の係合爪が設けられ、第２の突き出し部材に一つの被係合突起が設けられてもよい。
【００５２】
本実施形態に係る光ファイバ曲げ具１において、操作部５が指掛け孔５２に指をかけて操作する例を説明したが、これに限定されるものではない。例えば、操作部は、一対のアームの外側の面を指で挟んで一対のアームが互いに接近する方向に握ることにより、操作するものであってもよい。
【００５３】
本実施形態に係る光ファイバ曲げ具１において、一対のアーム４，４は、その基端側が第１の軸部４２で軸支される例を説明したが、これに限定されるものではない。例えば、一対のアームは、一点で一体に連結されていてもよく、一端側が互いに接離するようにその連結部が変位するものであってもよい。例えば、長尺状の板状部材のその長尺方向における中間部に屈曲部を形成したＶ形状の一対のアームなどである。
【００５４】
本実施形態に係る光ファイバ曲げ具１において、可とう部材２が設けられる例を説明したが、これに限定されるものではない。例えば、光ファイバ曲げ具１に可とう部材２がなく、常に光ファイバＣが直線状になるように弾性力が加わっているものでなくてもよい。この場合、作業者は、操作部の把持部を開く操作を行うことにより、可とう部材２に依らなくても、把持部同士を離間させることができる。また、可とう部材２の代わりに、一対のアーム間にスプリングなどの弾性部材を設けることによって、一対のアームに、その間隔を離間する方向に力が作用させていてもよい。
【００５５】
本実施形態に係る光ファイバ曲げ具１において、保持部３は、可とう部材２の下側内側面に光ファイバＣを押し当てて光ファイバＣを保持する例を説明したが、これに限定されるものではない。例えば、保持部３は、一対の片から構成され、一方の片に対して他方の片を接離させることにより、又は、両方の片を接離させることにより、その一対の片でその間に光ファイバＣを把持するものであってもよい。また、保持部３は、光ファイバＣの線径よりも狭い幅の凹部であって、弾性変形可能な凹部であってもよい。この場合、光ファイバＣは、この凹部に押し込むことにより保持される。
【００５６】
本実施形態に係る光ファイバ曲げ具１は、光ファイバの接続確認方法に用いられる例を説明したが、これに限定されるものではない。例えば、光ファイバ曲げ具は、光ファイバの曲げによる光の減衰を測定するためにも用いることができる。
【符号の説明】
【００５７】
１…光ファイバ曲げ具、２…可とう部材、２１…貫通孔、３…保持部、３１…固定部、３２…伸縮部材、３３…当接部材、３４…ねじ部、３５…摘み、４…アーム、４１…アーム本体、４２…第１の軸部、４３…第２の軸部、５…操作部、５１…把持部、５２…指掛け孔、６…位置決め部、６１…第１の突き出し部材、６２…第２の突き出し部材、６３…軸部、６４…係合構造、６５…阻止部、６６…離間部材、６７…係合爪、６８…被係合突起、１００…光ファイバ曲げ具、１０２…可とう部材、Ｃ…光ファイバ
【図１】
2014170121.tif 000003
【図２】
2014170121.tif 000004
【図３】
2014170121.tif 000005
【図４】
2014170121.tif 000006
【図５】
2014170121.tif 000007
【図６】
2014170121.tif 000008
【図７】
2014170121.tif 000009
【図８】
2014170121.tif 000010
【図９】
2014170121.tif 000011
【図１０】
2014170121.tif 000012
【図１１】
2014170121.tif 000013
【図１２】
2014170121.tif 000014